(57)【要約】操作キーを押下することにより、種々の時間或いは回数を表示させる表示部を有する洗濯機であって、この表示部に表示される種々の時間等が最大値に至った時の表示時間を、最大値以外の値の表示時間より長くすることを特徴とした洗濯機に関する発明である。本発明によれば、表示パネルに表示される洗い時間等を最大値の時に止めようと思っても、最大値を通過してしまい、次にもう一度最大値がでるまで操作キーを引き続き押さなければならない手間がなくなるため、洗い時間等を最大値に設定することが容易になる。【特許請求の範囲】
【請求項１】
洗濯機に係る種々の時間或いは回数の少なくとも１つを表示する表示部と、操作キーを押下することにより、上記表示部に表示される前記時間或いは回数をそれぞれ一定値に設定する操作部と、表示されている時間或いは回数には、最大値と最小値があって、操作キーの押下に応じて、この両値の間を所定の時間間隔で変化させる制御部を備えた洗濯機において、該制御部は、表示された時間或いは回数が最大値に至った時の表示時間を、最大値以外の値の表示時間より長くすることを特徴とした洗濯機。
【請求項２】
洗濯機に係る種々の時間或いは回数の少なくとも１つを表示する表示部と、キーを押し続けることで、上記表示部に表示される前記時間或いは回数をそれぞれ一定値に設定する操作部と、表示されている時間或いは回数には、最大値と最小値があって、操作キーを押し続けることにより、この両値の間を所定の時間間隔で変化させる制御部を備えた洗濯機において、該制御部は、表示された時間或いは回数が最大値に至った時の表示時間を、最大値以外の値の表示時間より長くすることを特徴とした洗濯機。
【発明の詳細な説明】
【０００１】
【従来技術】従来、例えば、洗い時間、すすぎ回数、脱水時間などの洗濯条件を設定する操作キーと、設定された洗濯条件を整数値で表示する表示部とを備え、前記操作キーを連続して押下操作すると前記洗濯条件としての設定値の表示が変化する洗濯機が知られている。この洗濯機において、設定値の表示は、その最小値から最大値へ向かう方向に所定の時間間隔で変化すると共に、最大値に達した後は最大値から最小値へ向かう方向に所定の時間間隔で変化し、押下操作を停止した時点で表示部に表示されている数字（例えば、洗い時間、すすぎ回数、脱水時間など）を設定値とする。（例えば、特許文献１参照）。
【０００２】
【特許文献１】
特開２００２−１３６７９０号公報「洗濯機の運転内容設定方法」
【０００３】
【解決課題】かかる洗濯機において、例えば、洗濯物の汚れがひどいために洗い時間等を最大限長くとりたいときには、表示部に表示される洗い時間等を最大値に設定する必要があるが、表示部に表示される洗い時間等を最大値の時にうまく止めることがなかなか難しい。
【０００４】
つまり、表示部に表示される洗い時間等を最大値の時に止めようと思っても、最大値を通過してしまい、次にもう一度最大値がでるまで操作キーを引き続き押さなければならない手間が生じる。また、使用者がコース毎の洗い時間・すすぎ回数・脱水時間等の最大値を覚えていないことも最大値に設定することの難しさを招く。このように、洗濯条件の設定作業がスムーズに行えないという問題があった。
【０００５】
【課題解決の手段】
本発明はこのような問題点を解決するためになされたもので、請求項１に記載の洗濯機は、洗濯機に係る種々の時間或いは回数の少なくとも１つを表示する表示部と、操作キーを押下することにより、上記表示部に表示される前記時間或いは回数をそれぞれ一定値に設定する操作部と、表示されている時間或いは回数には、最大値と最小値があって、操作キーの押下に応じて、この両値の間を所定の時間間隔で変化させる制御部を備えた洗濯機において、該制御部は、表示された時間或いは回数が最大値に至った時の表示時間を、最大値以外の値の表示時間より長くすることを特徴とする。
【０００６】
請求項２に記載の洗濯機は、洗濯機に係る種々の時間或いは回数の少なくとも１つを表示する表示部と、キーを押し続けることで、上記表示部に表示される前記時間或いは回数をそれぞれ一定値に設定する操作部と、表示されている時間或いは回数には、最大値と最小値があって、操作キーを押し続けることにより、この両値の間を所定の時間間隔で変化させる制御部を備えた洗濯機において、該制御部は、表示された時間或いは回数が最大値に至った時の表示時間を、最大値以外の値の表示時間より長くすることを特徴とする。
【０００７】
これら請求項１、請求項２の構成によれば、最大値で洗濯機に係る種々の時間或いは回数を表示する時間を長く採れるので、表示部に表示される時間或いは回数が最大値のときを見やすく、最大値で止め易くなる。従って、最大値が出るまで何度も操作キーを押さなければならないという手間をなくすことができる。
【０００８】
【実施例１】
以下、この発明の一実施例について、図面を参照して具体的に説明をする。
【０００９】
図１は、この発明の一実施形態にかかる洗濯機の右側断面図である。
ハウジング１は、上面の略中央に、通常、蓋で開閉される開口２を有し、内部に洗濯槽３等を配設している。洗濯槽３は、洗濯水を溜めることのできる略有底円筒状の外槽４と、この外槽４内に同軸に設けられた内槽５から成る。内槽５の底面には、前方に若干傾けた中心軸線ＣＬ回りに回転可能なパルセーター６を配置している。ハウジング１内の上部には、洗濯槽３内に適時給水するための給水機構７を設けている。洗濯槽３の外底部には、内槽５およびパルセーター６を適時回転駆動するため、クラッチやモータ等から成る駆動機構８を設けている。洗濯槽３の底面には、洗濯槽３内から排水するための排水機構９を設けている。
【００１０】
ハウジング１内の上面前部には操作部１０を設けており、この操作部１０には、図２の如く、電源キー１１、洗濯運転および予約運転をスタートまたは一時停止させるスタート一時停止キー１２、洗濯水位を選択するための水位キー１３、洗い時間を選択するための洗いキー１４、すすぎ回数を選択するためのすすぎキー１５、脱水時間を選択するための脱水キー１６、何時間後に洗濯を終了させるかを選択するための予約キー１７、給水時に風呂水を使うために選択する風呂水キー１８、洗濯コースを選択するためのコースキー１９、現在設定されている洗濯内容を表示する表示部２０（洗濯水位表示、洗い時間表示、すすぎ回数表示、脱水時間表示、予約時間表示、コース表示）を配列している。
【００１１】
ここで、洗いキー１４・すすぎキー１５・脱水キー１６・予約キー１７を一定時間内に複数回押すと、又は押し続けると、時間或いは回数が漸増等する。具体的には、図３（１）に示すように、表示部２０に表示される洗い時間が、初期値１２から最大値１５まで漸増し、最大値１５から最小値０に移動し、最小値０から最大値１５まで漸増するというサイクルを繰り返す。
【００１２】
以下、図４、図５により、洗い時間を設定する場合を代表して説明するが、すすぎ回数・すすぎ時間・脱水時間・脱水回数・予約時間・乾燥時間を設定する場合も最大値と最小値が異なるだけで、サイクルを繰り返すことは同様である。
【００１３】
図４は時間設定のメインルーチンを示すフローチャートである。最初に全てのカウンターとフラグを０に設定した後（ＳＴＥＰ１）、洗い設定時間のカウンターに初期値の１２分をセットし（ＳＴＥＰ２）、表示部２０で洗い時間として１２分を表示する（ＳＴＥＰ３）。その後１０ｍｓｅｃのタイマー割り込み受け付け許可の状態にし（ＳＴＥＰ４）、キー入力ありのフラグが立つ状態（ＳＴＥＰ５）、又はキー連続押しのフラグが立つ状態（ＳＴＥＰ１２）が来るのを待つ。
【００１４】
ここで、後に図５の説明で詳述するが、キー入力ありのフラグは、４０ｍｓｅｃ（１０ｍｓｅｃ×４回）の間操作キー１４が連続して押下された状態が続いたときに立つものであるが、４０ｍｓｅｃは、通常１回の操作キー１４の押下によって経過する時間である。また、キー連続押しのフラグは、０．５秒（１０ｍｓｅｃ×５０回）以上洗いキー１４が連続して押下された状態のときに立つものである。
【００１５】
はじめにキー入力ありのフラグが立っている場合（ＳＴＥＰ５）について説明する。まずキー入力ありのフラグを下げ（ＳＴＥＰ６）、続いて洗い設定時間のカウンターの値を１分増加させ（ＳＴＥＰ７）、前回の表示時間から１分増加した洗い時間を表示部２０に表示する（ＳＴＥＰ８）。さらに、洗い設定時間のカウンター内容が１５分を超えたときは（ＳＴＥＰ９）、洗い設定時間のカウンターを０分にリセットし（ＳＴＥＰ１０）、表示部で洗い時間０分（最小値）を表示する（ＳＴＥＰ１１）。
【００１６】
次に、キー連続押しのフラグが立っている場合について説明する。まず、キー連続押しのフラグを下げる（ＳＴＥＰ１３）。続いて、洗い設定時間のカウンター内容が１５分であるかどうかを判定し（ＳＴＥＰ１４）、１５分以外のときには、洗いキー１４を押し続けていると０．５秒ごとに表示部２０に表示される洗い設定時間のカウンターの値を１分増加させ（ＳＴＥＰ７）、前回の表示時間から１分増加した洗い時間を表示部２０に表示する。一方、洗い設定時間のカウンターが１５分となり、表示部２０で１５分（最大値）を表示したときには、１回パスというフラグを立て（ＳＴＥＰ１５）、洗い設定時間のカウンターの値を１分増加させる前にもう１度１０ｍｓｅｃのタイマー割り込み処理を行う（ＳＴＥＰ４）。これにより、ＳＴＥＰ７において洗い設定時間のカウンターの値を１分増加させるまでに、０．５秒（１０ｍｓｅｃ×５０回）の２倍の時間である１秒間必要となり、１秒の間表示部２０に洗い時間として１５分（最大値）を表示させることができる。
【００１７】
図５は、図４のフローチャートの一部を構成するタイマー割り込み処理を示すフローチャートであり、洗いキー１４が押されたこと、離されたことを１０ｍｓｅｃ毎に制御手段の内部タイマーによって検知するプログラムを示すものである。
【００１８】
はじめに、洗いキー１４が押下された場合について説明する。洗いキー１４が押下されたときは（ＳＴＥＰ１６）、キーＯＦＦカウントのカウンターの値をリセットし（ＳＴＥＰ１７）、キーＯＮカウントのカウンターの値を１０ｍｓｅｃ毎に１増加させる（ＳＴＥＰ１８）。ここで、通常の１回のキー操作を行うと、４０ｍｓｅｃ（１０ｍｓｅｃ×４回）の間操作キー１４が連続して押下された状態となり（ＳＴＥＰ２０）、前述したキー入力ありのフラグを立て（ＳＴＥＰ２１）、さらにキー入力禁止のフラグを立てる（ＳＴＥＰ２２）。また、０．５秒（１０ｍｓｅｃ×５０回）以上洗いキー１４が連続して押下された状態のときは、前述したキー連続押しのフラグを立てる（ＳＴＥＰ２３）。
【００１９】
直ぐに、洗いキー１４から指を離すと、キーＯＮカウントのカウンターの値をリセットし（ＳＴＥＰ２４）、キーＯＦＦカウントのカウンターを１０ｍｓｅｃ毎に１増加させる（ＳＴＥＰ２５）。ここで、最大値の場合の表示部２０に表示される洗い設定時間のカウンターが１５分の場合とそれ以外の値の場合とで、キーＯＦＦカウントのカウンターの比較値を１０と４の２種類に分けている（ＳＴＥＰ２６、ＳＴＥＰ２７、ＳＴＥＰ２８）。表示部２０に表示される洗い時間が１５分（最大値）のときは、キーＯＦＦカウントのカウンターの値が１０になるまで（ＳＴＥＰ２７）、キー入力禁止のフラグを立てており（ＳＴＥＰ２９）、この間表示部に表示される洗い時間の表示時間が長くなっている。一方、洗い設定時間のカウンターが１５分以外のときは、キーＯＦＦカウントのカウンターの値が４になった時点で（ＳＴＥＰ２８）、キー入力禁止のフラグを下げ（ＳＴＥＰ２９）、次のキー受け付け可能状態にしてしまう。
【００２０】
なお、本実施例においては、表示部に表示される洗い時間が最大値に至った時の表示時間を、洗い時間が最大値以外の値の表示時間より長くするものであるが、洗い時間が最大値のときの表示時間のみならず、洗い時間が最大値に向かう近辺の値のときの表示時間も、最大値を除く他の値の表示時間より長くすることで、最大値の設定をしやすくすることもできる。
【００２１】
【実施例２】
実施例２は、表示部２０の表示サイクルを変更させている。即ち、図３（２）に示すように、初期値１２から最大値１５まで漸増し、最大値１５から最小値０まで漸減し、最小値０から最大値１５まで漸増するというサイクルを繰り返す。
【００２２】
【実施例３】
実施例３は、表示部２０の表示サイクルを変更させている。即ち、図３（３）に示すように、初期値１２から最大値１５まで漸増し、最大値１５から最小値０まで漸減し、最小値０から最大値１５に移動するというサイクルを繰り返す。
【００２３】
【発明の効果】本発明によれば、表示パネルに表示される洗い時間等を最大値の時に止めようと思っても、最大値を通過してしまい、次にもう一度最大値がでるまで操作キーを引き続き押さなければならない手間がなくなるため、洗い時間等を最大値に設定することが容易になる。つまり、表示部に表示される洗い時間等を最大値の時に止め易くなり、洗濯条件の設定をスムーズに行うことができる。
【図面の簡単な説明】
【図１】本発明の一実施形態にかかる洗濯機の概略構成を示す図である。
【図２】複数のキーを備えた操作部を示す図である。
【図３】表示部に表示される洗い時間の繰り返しを示す図である。
【図４】メインルーチンを示すフローチャート図である。
【図５】１０ｍｓｅｃ毎に実行されるタイマー割り込み処理を示す図である。
【符号の説明】１ハウジング  ２開口  ３洗濯槽  ４外槽  ５内層  ６パルセーター  ７給水機構  ８駆動機構  ９排水機構  １０操作部  １１電源キー  １２スタート一時停止キー  １３水位キー  １４洗いキー  １５すすぎキー  １６脱水キー  １７予約キー  １８風呂水キー  １９コースキー  ２０表示部
【図１】
2004275282.tif 000002
【図２】
2004275282.tif 000003
【図３】
2004275282.tif 000004
【図４】
2004275282.tif 000005
【図５】
2004275282.tif 000006